(57)【要約】【課題】広告依頼主が依頼する商品又はサービスに関する情報を表示して宣伝効果を高めた広告宣伝配布用割り箸を提供する。【解決手段】割り箸を収納した複数の袋体を並列して重ね合わせ、その外表面に広告主が依頼する商品又はサービスに関する情報を一体的に表示した広告表示部を設け、透明包装体により包装する。【選択図】  図３ 
0003105680.tif 000002
【実用新案登録請求の範囲】
【請求項１】
袋体の外表面又は外裏面のいずれか一方あるいは双方に広告主が依頼する商品又はサービスに関する情報を表示した広告表示部を設けると共に、一本あるいは複数本の割り箸を該袋体に収納して透明包装体により包装することを特徴とする広告宣伝配布用割り箸。
【請求項２】
前記割り箸を収納した複数の袋体を前記透明包装体に並列して収納し、該複数の袋体が重ね合わせて形成される広告表示部に、前記商品又はサービスに関する情報が一体的に表示されていることを特徴とする請求項１に記載の広告宣伝配布用割り箸。
【請求項３】
前記割り箸の頭部近傍には段差部が形成され、該段差部と前記袋体の先端部との間に形成される凹部に、前記広告主が依頼する商品又はサービスに関する追加的情報を表示した広告宣伝ビラを載置することを特徴とする請求項１乃至２に記載の広告宣伝配布用割り箸。
【請求項４】
前記広告主が依頼する商品又はサービスに関する情報は、広告主の商標、商号、名称、住所、電話番号、ＵＲＬ等の広告主特定情報、商品又はサービスの価格、内容等の商品等特定情報、割引券、抽選券等の特典情報からなるものであることを特徴とする請求項１乃至３に記載の広告宣伝配布用割り箸。
【考案の詳細な説明】
【技術分野】
【０００１】
本考案は、広告依頼主に関する広告表示部を設けた袋体に割り箸を収納した広告宣伝配布用割り箸に関するものである。
【背景技術】
【０００２】
従来、広告宣伝の一手法として、駅前や繁華街等の路上で、一般通行人にティッシュペーパーを配布する方法がある。この配布されるティッシュペーパーは、透明ビニール素材のフイルム状の袋体に包装され、その包装袋に広告依頼主の商標、商号、住所等の広告宣伝の表示が印刷され、さらに、その内部には紙片に印刷された広告表示ビラを収納したものである。このような形態のティッシュペーパーが配布されることにより、広告依頼主の広告宣伝が行われる。
【０００３】
また割り箸を広告媒体として用いた従来の技術としては、たとえば、実用新案登録文献1が既に公開されている。この実用新案登録文献1によれば、袋部に店舗等の広告が印刷され、その中に割り箸が挿入されているものが開示されている。
【０００４】
【特許文献１】特開２００３−９５１４８号公報
【０００５】
しかしながら、配布されたティッシュペーパーは使用されると、すぐさま包装物と共にゴミ箱等に捨て去られ、また、使用前でもどこかにしまい込まれて忘れられ、結局、顧客に対する広告宣伝の効果としては一定の限界が存するという問題があった。また、前記の文献1による先行技術では、路上で一般通行人に配布し難く、また、細長い割り箸の袋体において広告を表示できるスペースは限られているため、広告主が依頼する商品又はサービスに関する情報を十分に表示できないという欠点があった。
【考案の開示】
【考案が解決しようとする課題】
【０００６】
本考案は、このような問題点を解決するために工夫されたもので、割り箸を収納する袋体に大きなスペースを確保し、広告主の商品又はサービスに関する情報を十分に表示することができる広告宣伝配布用割り箸を提供することを目的とする。また、本考案は、透明包装体で包装し、一般通行人に配布し易くすることで、広告宣伝効果を著しく高めることができる広告宣伝配布用割り箸を提供することを目的とする。
【課題を解決するための手段】
【０００７】
上記課題を解決するために、本考案においては次のような手段を講ずることとした。すなわち、請求項１に記載の考案は、袋体の外表面又は外裏面のいずれか一方あるいは双方に広告主が依頼する商品又はサービスに関する情報を表示した広告表示部を設けると共に、一本あるいは複数本の割り箸を該袋体に収納して透明包装体により包装する広告宣伝配布用割り箸であることを特徴とする。また、請求項２に記載の考案は、前記割り箸を収納した複数の袋体を前記透明包装体に並列して収納し、該複数の袋体が重ね合わせて形成される広告表示部に、前記商品又はサービスに関する情報が一体的に表示されている請求項１に記載の広告宣伝配布用割り箸であることを特徴とする。
【０００８】
くわえて、請求項３に記載の考案は、前記割り箸の頭部近傍には段差部が形成され、該段差部と前記袋体の先端部との間に形成される凹部に、前記広告主が依頼する商品又はサービスに関する追加的情報を表示した広告宣伝ビラを載置する請求項１乃至２に記載の広告宣伝配布用割り箸であることを特徴とする。さらに、請求項4記載の考案は、前記広告主が依頼する商品又はサービスに関する情報は、広告主の商標、商号、名称、住所、電話番号、ＵＲＬ等の広告主特定情報、商品又はサービスの価格、内容等の商品等特定情報、割引券、抽選券等の特典情報からなる請求項１乃至３に記載の広告宣伝配布用割り箸であることを特徴とする。
【考案の効果】
【０００９】
請求項１記載の考案によれば、袋体に収納された割り箸を透明包装体で完全密封するため、広告表示部の視認性を阻害することなく、塵挨等で割り箸が汚れることを防止できる。したがって、衛生的な広告宣伝配布用割り箸を一般通行人に配布し、大きな宣伝効果をもたらすことができる。
【００１０】
請求項２記載の考案によれば、袋体を複数個並列して広告表示部を形成し、それを一体的に利用するため、広告主の依頼する商品又はサービスに関する情報を十分に表示し、より大きな宣伝効果をもたらすことができる。
【００１１】
請求項３記載の考案によれば、透明包装体に収納された袋体の広告表示部のみならず、広告宣伝ビラによってさらに大きな広告宣伝効果をもたらすことができ、また、広告宣伝ビラが配布中に中で移動して見栄えが悪くなったり、広告表示部を覆ってその宣伝効果を損なうことがない。
【００１２】
請求項４記載の考案によれば、袋体の広告表示部や宣伝ビラにより、広告主特定情報や商品等特定情報のみならず、種々の特典情報を表示し一般通行人に配布することで、絶大な宣伝効果をもたらすことができる。
【考案を実施するための最良の形態】
【００１３】
以下、図面に基づいて、本考案に係る広告宜伝配布用割り箸について詳説すると、図1は、割り箸を収納する前の袋体において、（ａ）は外表面の平面図、（ｂ）は外裏面の平面図、図２は、第１の実施形態に係る広告宜伝配布用割り箸１０を示す説明図である。
【００１４】
図１に示すように、広告宣伝配布用割り箸１０における袋体１２は、例えば、紙素材を用いて形成され、その外表面１２ａと外裏面１２ｂは長手方向の略中間部位で折り返され、両外周線１２ｃをのり付け等により接着し、割り箸１３を収納する空間部（図示せず。）を形成する。また、外表面１２ａの開口縁が斜めにカットされ、カット部１２ｄにより割り箸１３の取り出しを容易にするとともに、割り箸１３の頭部をわずかに外部に露呈する寸法とする。
【００１５】
袋体１２の外表面１２ａには、広告依頼主の商品またはサービスに関する情報として、例えば、パチンコ店を経営する遊技場業者である場合には、商号や屋号である「○○パチンコ店」、その場所である「××支店」等、広告主の商標、商号、名称、住所、電話番号、ＵＲＬ等からなる広告主特定情報１６を表示した広告表示部１４が印刷等の手段で設けられる。また、広告主の趣向に応じ、例えば、花柄のイラストレーション等で袋体１２をデザインすることもできる。なお、袋体１２のサイズに応じ、他の情報を広告表示部１４に表示することもできる。
【００１６】
割り箸１３の素材は、例えば、竹、杉等の天然木を使用したもので、その頭部１３ａには、分離前の割り箸を一対に固定しておくための固定部１３ｂが形成されている。なお、本実施形態における割り箸１３は、全体的には円柱体をなすものであるが、その形状に特に限定はない。
【００１７】
割り箸１３を収納した袋体１２を包み込む透明包装体１５は、例えば、セロファン、薄膜状のポリ塩化ビニール、ポリエチレン等の透明フィルムにより形成され、収納部１５ａと、蓋部１５ｂとを設ける。収納部１５ａは空所を形成し、袋体１２と一体化された割り箸１3を収納することができる。
【００１８】
蓋部１５ｂは収納部１５ａから延設され、その外裏面には接着剤を塗布した接着部（図示せず）が形成される。該接着部が折り曲げられて収納部１５ａの先端と接着すると、袋体１２と割り箸１３は透明包装体１５により完全に密封される。
【００１９】
このような広告宜伝配布用割り箸１０は、駅前や繁華街等の路上で一般通行人に配布することができる。受け取った一般通行人が、透明包装体１５における袋体１２の外表面に表示された広告主特定情報１６を視認することができる。また、ティッシュよりも高価な割り箸１３をもらった一般通行人は、家に持ち帰って使用することが期待され、優れた宣伝効果を発揮することができる。また、透明包装体１５により完全密封されているので、衛生的な状態で割り箸を手渡すことができる。
【００２０】
次に、図３は、第２の実施形態に係る広告宣伝配布用割り箸２０の外表面の平面図である。
【００２１】
広告宣伝配布用割り箸２０における袋体２２は、前記した広告宣伝配布用割り箸１０における袋体２と同様のものを３つ並列し、各袋体が互いに３分の１程度を重ね合わせた状態で接着されて形成されている。各袋体には、やはり広告宣伝配布用割り箸１０と同様の方法により割り箸１３が収納されている。
【００２２】
広告宣伝配布用割り箸２０においては、複数の袋体が重ね合わされた袋体２２により一の広告表示部２４が形成され、広告主の商品又はサービスに関する情報を十分に表示するスペースを確保することができる。したがって、例えば、前記した広告主特定情報１６以外の情報、例えば、商品やサービスの特色、キャッチフレーズ等からなる商品等特定情報１７を表示することができる。
【００２３】
なお、各袋体の外表面の印刷は、全体として一の広告表示部２２を形成することを想定して行う。実際的な文字、図形等の分割方法は、図形ソフト等を使用すればパソコン上で容易に決定できる。
【００２４】
したがって、広告宣伝配布用割り箸２０では、割り箸を受け取る一般通行人に広告宣伝方法の意外性によるインパクトを与えられると共に、十分な情報による多大な広告宣伝効果を期待することができる。
【００２５】
なお、広告宣伝配布用割り箸２０における割り箸１３及び透明包装体１５の形状、構造は、前記した広告宣伝配布用割り箸１０におけるものと同様であるので、ここでは詳細な説明を省略する。
【００２６】
さらに、図４は、第３の実施形態に係る広告宣伝配布用割り箸３０に係り、（ａ）はその平面図、（ｂ）はその側面図である。
【００２７】
広告宣伝配布用割り箸３０における割り箸３３は、一対の四角柱体からなり、その頭部３３ａには中途まで切断面が入れられた固定部３３ｂが形成され、使用の際に固定部３３ｂを分離して使用する。また、固定部３３ｂの外表面には、分離時に各割り箸３３指で持ち易くするための段差部３３ｃが形成されている。
【００２８】
一方、広告宣伝配布用割り箸３０における袋体３２は、前記した広告宣伝配布用割り箸１０とほぼ同様の構造であるが、本実施形態における袋体３２の寸法は、長手方向では割り箸３３の約半分を覆う程度の短尺なものである。
【００２９】
このことにより、広告宣伝配布用割り箸３０には、袋体３２の先端部３２ｄと割り箸３３の段差部３３ｃの間に凹部が形成される。そして、この凹部に袋体３２の広告表示部３４に表示された広告主特定情報１６以外の情報として、前記した商品等特定情報１７やそれ以外の付加的情報を表記した広告宣伝ビラ３８を載置することができる。
【００３０】
かかる状態で広告宣伝配布用割り箸３０を透明包装体５に収納すると、広告宣伝ビラ３８は凹部と透明包装体５の外裏面に挟持されるので、透明包装体５の所定の位置で安定する。したがって、広告宣伝配布用割り箸３０においては、配布時や運搬時に広告宣伝ビラ３８が透明包装体５で移動し、その見栄えが悪くなったり、袋体３２の広告表示部３４を覆って宣伝広告効果を損なってしまうことがない。
【００３１】
広告宣伝ビラ３８には、広告表示部３４に表示された情報に付加される情報、例えば、現在キャンペーン期間中で、どのようなサービスが付加されるかの情報、あるいは、抽選券やサービス券を備えた特典情報１８を表示した広告宣伝ビラとすることができる。例えば、抽選の当たり券が出た場合には、パチンコ店でいわゆる解放台に優先的に着席できるなどのイベント性をもたせることで、一般通行人への宣伝広告用割り箸３０の宣伝効果を多大にすることができる。
【００３２】
本考案は、上記実施の形態１から３に限定されず、種々変更して実施することが可能である。例えば、上記実施の形態１から３においては、一個の袋体に一本の割り箸を収納した宣伝広告用割り箸を具体例として説明した。しかし、図５に示すように、大きな袋体４２に二本、三本、あるいはそれ以上の複数本の割り箸３３を収納することはもちろん可能である。この場合には、袋体４２に十分な広告表示スペースを確保することができ、受け取った通行人にも複数本の割り箸３３が収納された広告宣伝配布用割り箸４０の利用価値は高いから、安易に捨てられることなく家に持ち帰ることが想定され、より効果的な広告宣伝をすることができる。
【００３３】
また、上記実施の形態１から３においては、広告表示部を袋体の外表面にのみ表示する場合を具体例として説明した。しかし、広告表示部は、袋体の外表面だけでなく、外裏面に設けることができるのはもちろんである。この場合には、透明包装体を通して外裏面に表示された商品又はサービスの情報も視認される。広告宣伝配布用割り箸が路上で手渡され、受け取った通行人には外表面か外裏面かを判別し難い点を考慮すると、どちら面にも広告表示部を設けることは確実な宣伝効果を発揮することが期待される。
【図面の簡単な説明】
【００３４】
【図１】割り箸を収納する前の袋体において、（ａ）はその外表面の平面図、（ｂ）はその外裏面の平面図である。
【図２】第１の実施形態に係る広告宜伝配布用割り箸を示す説明図である。
【図３】第２の実施形態に係る広告宣伝配布用割り箸の外表面の平面図である。
【図４】第３の実施形態に係る広告宣伝配布用割り箸に係り、（ａ）はその平面図、（ｂ）はその側面図である。
【図５】大きな袋体に複数本の割り箸を収納した広告宣伝用割り箸を示す説明図である。
【符号の説明】
【００３５】
１０  広告宣伝配布用割り箸
１２  袋体
１２ａ  外表面
１２ｂ  外裏面
１２ｃ  両外周線
１２ｄ  カット部
１３  割り箸
１３ａ  頭部
１３ｂ  固定部
１４  広告表示部
１５  透明包装体
１５ａ  収納部
１５ｂ  蓋部
１６  広告主特定情報
１７  商品等特定情報
１８  特典情報
２０  広告宣伝配布用割り箸
２２  袋体
２４  広告表示部
３０  広告宣伝配布用割り箸
３３  割り箸
３３ａ  頭部
３３ｂ  固定部
３３ｃ  段差部
３２  袋体
３２ｄ  先端部
３４  広告表示部
３８  広告宣伝ビラ
４０  広告宣伝配布用割り箸
４２  袋体
【図１】
0003105680.tif 000003
【図２】
0003105680.tif 000004
【図３】
0003105680.tif 000005
【図４】
0003105680.tif 000006
【図５】
0003105680.tif 000007
【手続補正書】
【提出日】平成16年8月3日(2004.8.3)
【手続補正１】
【補正対象書類名】実用新案登録請求の範囲
【補正対象項目名】全文
【補正方法】変更
【補正の内容】
【実用新案登録請求の範囲】
【請求項１】
袋体の外表面又は外裏面のいずれか一方あるいは双方に広告主が依頼する商品又はサービスに関する広告宣伝文を表示した広告表示部を設けると共に、一本あるいは複数本の割り箸を該袋体に収納して透明包装体により包装することを特徴とする広告宣伝配布用割り箸。
【請求項２】
前記割り箸を収納した複数の袋体を前記透明包装体に並列して収納し、該複数の袋体が重ね合わせて形成される広告表示部に、前記商品又はサービスに関する広告宣伝文が一体的に表示されていることを特徴とする請求項１に記載の広告宣伝配布用割り箸。
【請求項３】
前記割り箸の頭部近傍には段差部が形成され、該段差部と前記袋体の先端部との間に形成される凹部に、前記広告主が依頼する商品又はサービスに関する追加的広告宣伝文を表示した広告宣伝ビラを載置することを特徴とする請求項１乃至２に記載の広告宣伝配布用割り箸。
【請求項４】
前記広告主が依頼する商品又はサービスに関する広告宣伝文は、広告主の商標、商号、名称、住所、電話番号、ＵＲＬ等の広告主特定文、商品又はサービスの価格、内容等の商品又はサービス特定文、割引券、抽選券からなる特典表示文であることを特徴とする請求項１乃至３に記載の広告宣伝配布用割り箸。
【手続補正２】
【補正対象書類名】明細書
【補正対象項目名】０００５
【補正方法】変更
【補正の内容】
【０００５】
しかしながら、配布されたティッシュペーパーは使用されると、すぐさま包装物と共にゴミ箱等に捨て去られ、また、使用前でもどこかにしまい込まれて忘れられ、結局、顧客に対する広告宣伝の効果としては一定の限界が存するという問題があった。また、前記の文献1による先行技術では、路上で一般通行人に配布し難く、また、細長い割り箸の袋体に
おいて広告を表示できるスペースは限られているため、広告主が依頼する商品又はサービスに関する広告宣伝文を十分に表示できないという欠点があった。
【手続補正３】
【補正対象書類名】明細書
【補正対象項目名】０００６
【補正方法】変更
【補正の内容】
【０００６】
本考案は、このような問題点を解決するために工夫されたもので、割り箸を収納する袋体に大きなスペースを確保し、広告主の商品又はサービスに関する広告宣伝文を十分に表示することができる広告宣伝配布用割り箸を提供することを目的とする。また、本考案は、透明包装体で包装し、一般通行人に配布し易くすることで、広告宣伝効果を著しく高めることができる広告宣伝配布用割り箸を提供することを目的とする。
【手続補正４】
【補正対象書類名】明細書
【補正対象項目名】０００７
【補正方法】変更
【補正の内容】
【０００７】
上記課題を解決するために、本考案においては次のような手段を講ずることとした。すなわち、請求項１に記載の考案は、袋体の外表面又は外裏面のいずれか一方あるいは双方に広告主が依頼する商品又はサービスに関する広告宣伝文を表示した広告表示部を設けると共に、一本あるいは複数本の割り箸を該袋体に収納して透明包装体により包装する広告宣伝配布用割り箸であることを特徴とする。また、請求項２に記載の考案は、前記割り箸を収納した複数の袋体を前記透明包装体に並列して収納し、該複数の袋体が重ね合わせて形成される広告表示部に、前記商品又はサービスに関する広告宣伝文が一体的に表示されている請求項１に記載の広告宣伝配布用割り箸であることを特徴とする。
【手続補正５】
【補正対象書類名】明細書
【補正対象項目名】０００８
【補正方法】変更
【補正の内容】
【０００８】
くわえて、請求項３に記載の考案は、前記割り箸の頭部近傍には段差部が形成され、該段差部と前記袋体の先端部との間に形成される凹部に、前記広告主が依頼する商品又はサービスに関する追加的広告宣伝文を表示した広告宣伝ビラを載置する請求項１乃至２に記載の広告宣伝配布用割り箸であることを特徴とする。さらに、請求項4記載の考案は、前記広告主が依頼する商品又はサービスに関する広告宣伝文は、広告主の商標、商号、名称、住所、電話番号、ＵＲＬ等の広告主特定文、商品又はサービスの価格、内容等の商品又はサービス特定文、割引券、抽選券等の特典表示文からなる請求項１乃至３に記載の広告宣伝配布用割り箸であることを特徴とする。
【手続補正６】
【補正対象書類名】明細書
【補正対象項目名】００１０
【補正方法】変更
【補正の内容】
【００１０】
請求項２記載の考案によれば、袋体を複数個並列して広告表示部を形成し、それを一体的に利用するため、広告主の依頼する商品又はサービスに関する広告宣伝文を十分に表示し、より大きな宣伝効果をもたらすことができる。
【手続補正７】
【補正対象書類名】明細書
【補正対象項目名】００１２
【補正方法】変更
【補正の内容】
【００１２】
請求項４記載の考案によれば、袋体の広告表示部や宣伝ビラにより、広告主特定文や商品又はサービス特定文のみならず、種々の特典表示文を表示し一般通行人に配布することで、絶大な宣伝効果をもたらすことができる。
【手続補正８】
【補正対象書類名】明細書
【補正対象項目名】００１５
【補正方法】変更
【補正の内容】
【００１５】
袋体１２の外表面１２ａには、広告依頼主の商品またはサービスに関する広告宣伝文として、例えば、パチンコ店を経営する遊技場業者である場合には、商号や屋号である「○○パチンコ店」、その場所である「××支店」等、広告主の商標、商号、名称、住所、電話番号、ＵＲＬ等からなる広告主特定宣伝文１６を表示した広告表示部１４が印刷等の手段で設けられる。また、広告主の趣向に応じ、例えば、花柄のイラストレーション等で袋体１２をデザインすることもできる。なお、袋体１２のサイズに応じ、他の広告宣伝文を広告表示部１４に表示することもできる。
【手続補正９】
【補正対象書類名】明細書
【補正対象項目名】００１９
【補正方法】変更
【補正の内容】
【００１９】
このような広告宜伝配布用割り箸１０は、駅前や繁華街等の路上で一般通行人に配布することができる。受け取った一般通行人が、透明包装体１５における袋体１２の外表面に表示された広告主特定宣伝文１６を視認することができる。また、ティッシュよりも高価な割り箸１３をもらった一般通行人は、家に持ち帰って使用することが期待され、優れた宣伝効果を発揮することができる。また、透明包装体１５により完全密封されているので、衛生的な状態で割り箸を手渡すことができる。
【手続補正１０】
【補正対象書類名】明細書
【補正対象項目名】００２２
【補正方法】変更
【補正の内容】
【００２２】
広告宣伝配布用割り箸２０においては、複数の袋体が重ね合わされた袋体２２により一の広告表示部２４が形成され、広告主の商品又はサービスに関する広告宣伝文を十分に表示するスペースを確保することができる。したがって、例えば、前記した広告主特定宣伝文１６以外の広告宣伝文、例えば、商品やサービスの特色、キャッチフレーズ等からなる商品又はサービス特定宣伝文１７を表示することができる。
【手続補正１１】
【補正対象書類名】明細書
【補正対象項目名】００２４
【補正方法】変更
【補正の内容】
【００２４】
したがって、広告宣伝配布用割り箸２０では、割り箸を受け取る一般通行人に広告宣伝方法の意外性によるインパクトを与えられると共に、十分な広告宣伝文による多大な広告宣伝効果を期待することができる。
【手続補正１２】
【補正対象書類名】明細書
【補正対象項目名】００２９
【補正方法】変更
【補正の内容】
【００２９】
このことにより、広告宣伝配布用割り箸３０には、袋体３２の先端部３２ｄと割り箸３３の段差部３３ｃの間に凹部が形成される。そして、この凹部に袋体３２の広告表示部３４に表示された広告主特定宣伝文１６以外の広告宣伝文として、前記した商品又はサービス特定宣伝文１７やそれ以外の付加的広告宣伝文を表記した広告宣伝ビラ３８を載置することができる。
【手続補正１３】
【補正対象書類名】明細書
【補正対象項目名】００３１
【補正方法】変更
【補正の内容】
【００３１】
広告宣伝ビラ３８には、広告表示部３４に表示された広告宣伝文に付加される広告宣伝文、例えば、現在キャンペーン期間中で、どのようなサービスが付加されるかの広告宣伝文、あるいは、抽選券やサービス券を備えた特典表示文１８を表示した広告宣伝ビラとすることができる。例えば、抽選の当たり券が出た場合には、パチンコ店でいわゆる解放台に優先的に着席できるなどのイベント性をもたせることで、一般通行人への宣伝広告用割り箸３０の宣伝効果を多大にすることができる。
【手続補正１４】
【補正対象書類名】明細書
【補正対象項目名】００３３
【補正方法】変更
【補正の内容】
【００３３】
また、上記実施の形態１から３においては、広告表示部を袋体の外表面にのみ表示する場合を具体例として説明した。しかし、広告表示部は、袋体の外表面だけでなく、外裏面に設けることができるのはもちろんである。この場合には、透明包装体を通して外裏面に表示された商品又はサービスの広告宣伝文も視認される。広告宣伝配布用割り箸が路上で手渡され、受け取った通行人には外表面か外裏面かを判別し難い点を考慮すると、どちら面にも広告表示部を設けることは確実な宣伝効果を発揮することが期待される。
【手続補正１５】
【補正対象書類名】明細書
【補正対象項目名】００３５
【補正方法】変更
【補正の内容】
【００３５】
１０  広告宣伝配布用割り箸
１２  袋体
１２ａ  外表面
１２ｂ  外裏面
１２ｃ  両外周線
１２ｄ  カット部
１３  割り箸
１３ａ  頭部
１３ｂ  固定部
１４  広告表示部
１５  透明包装体
１５ａ  収納部
１５ｂ  蓋部
１６  広告主特定文
１７  商品又はサービス特定文
１８ 特典表示文
２０  広告宣伝配布用割り箸
２２  袋体
２４  広告表示部
３０  広告宣伝配布用割り箸
３３  割り箸
３３ａ  頭部
３３ｂ  固定部
３３ｃ  段差部
３２  袋体
３２ｄ  先端部
３４  広告表示部
３８  広告宣伝ビラ
４０  広告宣伝配布用割り箸
４２  袋体